(57)【要約】【課題】内部に配線を通すとともに、水や塵等の侵入を防ぐ防水ヒンジ構造を提供する。【解決手段】第１部材１０に設けられ、軸方向の端部に第１部材１０の内部に連通する開口部を有する第１筒状部２０と、第２部材３０に設けられ、軸方向の端部に第２部材３０の内部に連通する開口部を有する第２筒状部４０とからなり、前記第２筒状部の開口部側の端部４１は前記第１筒状部の開口部側の端部２１内に挿入されており、前記第２筒状部は前記第１筒状部に対して周方向に回転自在に組みつけられているとともに、前記第１筒状部と前記第２筒状部との組み付け部分の内外周面の間は止水材４３により閉塞されている防水ヒンジ構造である。第１部材１０及び第２部材３０の内部を一体空間とし、両者を互いに回動自在としながら、止水材４３により隙間から内部への水や塵の侵入を防ぐことができる。【選択図】図２
2006019344.tif 000002
【特許請求の範囲】
【請求項１】
第１部材に設けられ、軸方向の端部に第１部材の内部に連通する開口部を有する第１筒状部と、第２部材に設けられ、軸方向の端部に第２部材の内部に連通する開口部を有する第２筒状部とからなり、前記第２筒状部の開口部側の端部は前記第１筒状部の開口部側の端部内に挿入されており、前記第２筒状部は前記第１筒状部に対して周方向に回転自在に組みつけられているとともに、前記第１筒状部と前記第２筒状部との組み付け部分の内外周面の間は止水材により閉塞されていることを特徴とする防水ヒンジ構造。
【請求項２】
前記第１筒状部の開口部及び前記第２筒状部の開口部を通り、前記第１部材の内部及び前記第２部材の内部に設けられたプリント配線基板に両端部が接続されるフレキシブルプリント基板を備えることを特徴とする請求項１に記載の防水ヒンジ構造。
【請求項３】
前記第１部材の内部に設けられたプリント配線基板に接続された第１光送受信素子と、前記第２部材の内部に設けられたプリント配線基板に接続された第２光送受信素子とを備え、第１光送受信素子と第２光送受信素子とは前記第１筒状部の開口部及び前記第２筒状部の開口部に光を通して互いに情報を伝達しあうことを特徴とする請求項１に記載の防水ヒンジ構造。
【請求項４】
前記第１部材に固定される第１固定環と、前記第２筒状部の前記第１筒状部への挿入部分に固定される第２固定環とが、互いに回転自在に組みつけられてなる環状ヒンジユニットを備えることを特徴とする請求項１〜３のいずれか一項に記載の防水ヒンジ構造。
【請求項５】
前記第２筒状部の開口部と反対側の端部に設けられた第１軸受と、前記第２筒状部の前記第１筒状部への挿入部分の長さだけ前記第１軸受から軸方向に離間した位置に前記第１部材と一体に設けられた第２軸受とを備えるとともに、前記第１軸受に固定される第１固定部と、前記第２軸受に固定される第２固定部とが互いに周方向に回転自在に組みつけられてなる柱状ヒンジユニットを備えることを特徴とする請求項１〜４のいずれか一項に記載の防水ヒンジ構造。
【請求項６】
前記第１軸受と前記第２軸受との間に、前記第２筒状部の前記第１筒状部への挿入部分の長さに等しく、中央に前記柱状ヒンジユニットが挿入される環状部材が配設されていることを特徴とする請求項５に記載の防水ヒンジ構造。
【請求項７】
第３部材に設けられ、軸方向の端部に第３部材の内部に連通する開口部を有する第３筒状部と、第２部材に前記第２筒状部と垂直に設けられ、軸方向の端部に第２部材の内部に連通する開口部を有する第４筒状部とをさらに備え、前記第４筒状部の開口部側の端部は前記第３筒状部の開口部側の端部内に挿入されており、前記第４筒状部は前記第３筒状部に対して周方向に回転自在に組みつけられているとともに、前記第３筒状部と前記第４筒状部との組み付け部分の内外周面の間は止水材により閉塞されていることを特徴とする請求項１〜６のいずれか一項に記載の防水ヒンジ構造。
【請求項８】
前記第３部材の内部に固定される第３固定環と、前記第４筒状部の前記第３筒状部への挿入部分に固定される第４固定環とが、互いに回転自在に組みつけられてなる環状ヒンジユニットを備えることを特徴とする請求項７に記載の防水ヒンジ構造。
【請求項９】
前記第１部材に設けられた第１光送受信素子と、前記第３部材の内部に設けられた第３光送受信素子とを備えるとともに、前記第２部材の内部に設けられ、前記第１光送受信装置または前記第３光送受信素子から発光された光を直角に反射して前記第３光送受信装置または前記第１光送受信素子に伝達する鏡とを備えることを特徴とする請求項７または８に記載の防水ヒンジ構造。
【発明の詳細な説明】
【技術分野】
【０００１】
本発明は、折り畳み型の装置等における防水ヒンジ構造に関する。
【背景技術】
【０００２】
従来の携帯電話機等においては、表示部を有する表示部筐体と、操作部を有する操作部筐体とが、ヒンジ部で折り畳んで重ね合わせられるように接続された、いわゆる折り畳み型携帯電話機がある。ヒンジ部には、表示部筐体と操作部筐体とを接続するフレキシブルプリント基板（ＦＰＣ）やケーブル等が配設されている。
【０００３】
このヒンジ部と表示部筐体または操作部筐体との接続部において、ヒンジ部の隙間から侵入した水や塵がＦＰＣやケーブルを伝って表示部筐体や操作部筐体に侵入することを防ぐために、例えば、ＦＰＣやケーブルをパッキンで挟み隙間を閉塞した防水構造がある（特許文献１参照）。
【特許文献１】特開２００４−４７９６８号公報
【発明の開示】
【発明が解決しようとする課題】
【０００４】
しかし、上記の防水構造では、ヒンジ部の隙間に水や塵が侵入するため、ヒンジ部のＦＰＣやケーブルに水や塵が付着するという問題があった。本発明の課題は、内部に配線を通すとともに、水や塵等の侵入を防ぐことができる防水ヒンジ構造を提供することである。
【課題を解決するための手段】
【０００５】
以上の課題を解決するため、請求項１に記載の発明は、防水ヒンジ構造であって、例えば図２に示すように、第１部材（操作部筐体１０）に設けられ、軸方向の端部に第１部材（操作部筐体１０）の内部に連通する開口部を有する第１筒状部（操作部側筒状部２０）と、第２部材（表示部筐体３０）に設けられ、軸方向の端部に第２部材（表示部筐体３０）の内部に連通する開口部を有する第２筒状部（表示部側筒状部４０）とからなり、前記第２筒状部の開口部側の端部（内筒部４１）は前記第１筒状部の開口部側の端部（外筒部２１）内に挿入されており、前記第２筒状部は前記第１筒状部に対して周方向に回転自在に組みつけられているとともに、前記第１筒状部と前記第２筒状部との組み付け部分の内外周面の間は止水材（止水材４３）により閉塞されていることを特徴とする。
【０００６】
請求項１に記載の発明によれば、第２部材の第２筒状部の開口部側の端部は第１部材の第１筒状部の開口部側の端部に挿入されているので、第１部材及び第２部材の内部を一体空間とすることができる。
【０００７】
また、第２筒状部は第１筒状部に対して周方向に回転自在に組みつけられているので、第１部材と第２部材とを互いに回転自在とすることができる。また、止水材により、第１部材及び第２部材の内部への水や塵の侵入を防ぐことができる。
【０００８】
請求項２に記載の発明は、請求項１に記載の防水ヒンジ構造であって、前記第１筒状部の開口部及び前記第２筒状部の開口部を通り、前記第１部材の内部及び前記第２部材の内部に設けられたプリント配線基板に両端部が接続されるフレキシブルプリント基板（ＦＰＣ８０）を備えることを特徴とする。
【０００９】
請求項２に記載の発明によれば、フレキシブルプリント基板を用いて第１部材の内部及び第２部材の内部に設けられたプリント配線基板同士の間で互いに情報を伝達することができる。
【００１０】
請求項３に記載の発明は、請求項１に記載の防水ヒンジ構造であって、例えば図６に示すように、前記第１部材の内部に設けられたプリント配線基板に接続された第１光送受信素子（光送受信素子８１）と、前記第２部材の内部に設けられたプリント配線基板に接続された第２光送受信素子（光送受信素子８２）とを備え、第１光送受信素子と第２光送受信素子とは前記第１筒状部の開口部及び前記第２筒状部の開口部との組み付け部分に光を通して互いに情報を伝達しあうことを特徴とする。
【００１１】
請求項３に記載の発明によれば、第１光送受信素子及び第２光送受信素子を用いて、第１部材及び第２部材の内部に設けられたプリント配線基板同士の間で互いに情報を伝達することができる。
【００１２】
請求項４に記載の発明は、請求項１〜３のいずれか一項に記載の防水ヒンジ構造であって、例えば図４に示すように、前記第１筒状部の内部に固定される第１固定環７１と、前記第２筒状部の前記第１筒状部への挿入部分に固定される第２固定環７２とが、互いに回転自在に組み付けられてなる環状ヒンジユニット７０を備えることを特徴とする。
【００１３】
請求項４に記載の発明によれば、第１固定環と第２固定環とからなる環状ヒンジユニットにより、第２筒状部の第１筒状部への挿入部分が第１筒状部から抜け落ちることを防止することができる。また、環状ヒンジユニット７０の中央部分にフレキシブルプリント基板等の配線や光を通し、第１部材と第２部材との間で情報を伝達することができる。
【００１４】
請求項５に記載の発明は、請求項１〜４のいずれか一項に記載の防水ヒンジ構造であって、例えば図２または図７に示すように、前記第２筒状部の開口部と反対側の端部に設けられた第１軸受（表示部側軸受３２）と、前記第２筒状部の前記第１筒状部への挿入部分（内筒部４１）の長さだけ前記第１軸受から軸方向に離間した位置に前記第１部材と一体に設けられた第２軸受（操作部側軸受１２）とを備えるとともに、前記第１軸受に固定される第１固定部（表示部側固定部６２）と、前記第２軸受に固定される第２固定部（操作部側固定部６１）とが互いに周方向に回転自在に組みつけられてなる柱状ヒンジユニット６０を備えることを特徴とする。
【００１５】
請求項５に記載の発明によれば、第１軸受、第２軸受、及び柱状ヒンジユニットにより、第２筒状部の軸方向への移動を制限し、第２筒状部の開口部側の端部が第１筒状部の開口部側の端部から抜け落ちることを防止することができる。
【００１６】
請求項６に記載の発明は、請求項５に記載の防水ヒンジ構造であって、前記第１軸受（表示部側軸受３２）と前記第２軸受（操作部側軸受１２）との間に、前記第２筒状部の前記第１筒状部への挿入部分（内筒部４１）の長さに等しく、中央に前記柱状ヒンジユニット６０が挿入される環状部材（スペーサー５０）が配設されていることを特徴とする。
【００１７】
請求項６に記載の発明によれば、環状部材により、第２筒状部の軸方向への移動を制限し、第２筒状部の開口部側の端部（内筒部４１）が第１筒状部の開口部側の端部（外筒部２１）から抜け落ちることを防止することができる。また、環状部材により、柱状ヒンジユニット６０を被覆することができる。
【００１８】
請求項７に記載の発明は、請求項１〜６のいずれか一項に記載の防水ヒンジ構造であって、例えば図７に示すように、第３部材（表示部筐体３０）に設けられ、軸方向の端部に第３部材の内部に連通する開口部を有する第３筒状部（第２外筒部３３）と、第２部材（表示部側筒状部４０）に前記第２筒状部と垂直に設けられ、軸方向の端部に第２部材の内部に連通する開口部を有する第４筒状部（第２内筒部４４）とをさらに備え、前記第４筒状部の開口部側の端部は前記第３筒状部の開口部側の端部内に挿入されており、前記第４筒状部は前記第３筒状部に対して周方向に回転自在に組みつけられているとともに、前記第３筒状部と前記第４筒状部との組み付け部分の内外周面の間は止水材により閉塞されていることを特徴とする
【００１９】
請求項７に記載の発明によれば、第２部材の第４筒状部の開口部側の端部は第３部材の第３筒状部の開口部側の端部に挿入されているので、第２部材及び第３部材の内部を一体空間とすることができる。
【００２０】
また、第４筒状部は第３筒状部に対して周方向に回転自在に組みつけられているので、第２部材と第３部材とを互いに回転自在とすることができる。また、止水材により、第２部材及び第３部材の内部への水や塵の侵入を防ぐことができる。
【００２１】
また、第４筒状部は第２筒状部と垂直に設けられているので、第３部材を第２部材に対し、第２部材の第１部材に対する回転方向と垂直な方向に回転自在に組み付けることができる。したがって、第１部材に対して第３部材を２軸で回転させることができる。
【００２２】
請求項８に記載の発明は、請求項７に記載の防水ヒンジ構造であって、前記第３部材の内部に固定される第３固定環７５と、前記第４筒状部の前記第３筒状部への挿入部分に固定される第４固定環７６とが、互いに回転自在に組みつけられてなる環状ヒンジユニットを備えることを特徴とする。
【００２３】
請求項８に記載の発明によれば、環状ヒンジユニットにより、第４筒状部が第３筒状部から抜け落ちることを防止することができる。また、環状ヒンジユニットの中央部分にフレキシブルプリント基板等の配線や光を通して第２部材と第３部材との間で情報を伝達することができる。
【００２４】
請求項９に記載の発明は、請求項７または８に記載の防水ヒンジ構造であって、前記第１部材に設けられた第１光送受信素子と、前記第３部材の内部に設けられた第３光送受信素子（光送受信素子８３）と、前記第２部材の内部に設けられ、前記第１光送受信装置または前記第３光送受信素子から発光された光を直角に反射して前記第３光送受信装置または前記第１光送受信素子に伝達する鏡４８とを備えることを特徴とする。
【００２５】
請求項９に記載の発明によれば、第１光送受信素子と第３光送受信素子との間で、鏡を介して互いに情報を伝達することができる。
【発明の効果】
【００２６】
本発明によれば、第２部材の第２筒状部の開口部側の端部は第１部材の第１筒状部の開口部側の端部に挿入され、第２筒状部は第１筒状部に対して周方向に回転自在に組みつけられているので、第１部材及び第２部材の内部を一体空間とすることができ、第１部材と第２部材とを互いに回転自在とすることができる。また、止水材により、第１部材及び第２部材の内部への水や塵の侵入を防ぐことができる。
【００２７】
また、第１固定環と第２固定環とからなる環状ヒンジユニットにより、第２筒状部の第１筒状部への挿入部分が第１筒状部から抜け落ちることを防止することができる。また、環状ヒンジユニット７０の中央部分にフレキシブルプリント基板等の配線や光を通し、第１部材と第２部材との間で情報を伝達することができる。
【００２８】
さらに、第１軸受、第２軸受、環状部材、及び柱状ヒンジユニットにより、第２筒状部の軸方向への移動を制限し、第２筒状部の開口部側の端部が第１筒状部の開口部側の端部から抜け落ちることを防止することができる。
【００２９】
また、第３部材を第２部材に対し、第２部材の第１部材に対する回転方向と垂直な方向に回転自在に組み付けることで、第１部材に対して第３部材を２軸で回転させることができる。
【発明を実施するための最良の形態】
【００３０】
以下、本発明の第１の実施の形態例について説明する。図１は本発明が適用された無線通信装置を示す全体図である。無線通信装置は、表示部３１を有する表示部筐体３０と、操作部１１を有する操作部筐体１０とからなる。
【００３１】
操作部筐体１０及び表示部筐体３０は、平板形状をしており、内部にプリント配線基板１３、３３やその他の装置が収納されている。操作部筐体１０と表示部筐体３０との間に、ヒンジ構造が構成され、操作部筐体１０と表示部筐体３０とが、折り畳んで重ね合わせられるように接続されている。
【００３２】
図２は本発明が適用された無線通信装置のヒンジ構造を示す要部断面図である。本実施の形態のヒンジ構造は、図２に示すように、操作部筐体１０と、表示部筐体３０と、スペーサー５０と、柱状ヒンジユニット６０とからなる。
【００３３】
操作部筐体１０の上端には、図２に示すように、右側端部に操作部側筒状部２０が、左側端部に操作部側軸受１２がそれぞれ設けられている。
操作部側筒状部２０は、左右方向を軸方向とした円筒形状をしている。操作部側筒状部２０の内部は、操作部筐体１０の本体内部と連通している。また、操作部側筒状部２０の左端部には、外筒部２１が設けられている。
【００３４】
外筒部２１の内径は、後述する表示部筐体３０の内筒部４１の外径にほぼ等しい。また、外筒部２１には、図３に示すように、左側に開口部２２が設けられている。開口部２２には、内筒部４１が挿入される。
【００３５】
操作部側軸受１２は、左右方向を軸方向とした円筒形状をしており、図３に示すように、中心に左右方向に穴１２ａが空いている。穴１２ａの内径は、後述する柱状ヒンジユニット６０の外径以上である。操作部側軸受１２は、柱状ヒンジユニット６０を支持する。
【００３６】
表示部筐体３０の下部には、中央部分に表示部側筒状部４０が設けられている。表示部側筒状部４０は、左右方向を軸方向とした円筒形状をしている。表示部側筒状部４０の内部は、表示部筐体３０の本体内部と連通している。
表示部側筒状部４０の右端部には内筒部４１が、左端部には表示部側軸受３２が設けられている。
【００３７】
内筒部４１の外径は、外筒部２１の内径にほぼ等しい。また、内筒部４１の外周部にはＯリングやオイルシール等の止水材４３が設けられている。止水材４３は、内筒部４１が外筒部２１に挿入されたときに、外筒部２１と内筒部４１との隙間を水密に閉塞する。内筒部４１の右側には、図３に示すように、開口部４２が設けられている。内筒部４１は外筒部２１に対して、止水材４３を介して周方向に摺動自在である。
【００３８】
開口部４２には、表示部のプリント配線基板３３と操作部のプリント配線基板１３とを接続するフレキシブルプリント基板（ＦＰＣ８０）が通っている。ＦＰＣ８０は、表示部側筒状部４０と操作部側筒状部２０との間で螺旋状に２回巻いてあり、左右方向の移動量を確保するとともに、回転運動に伴う形状変化を低減している。ＦＰＣ８０の両端部は、表示部筐体３０及び操作部筐体１０の各プリント配線基板１３、３３に設けられたコネクター１４、３４に接続されている。
【００３９】
表示部側軸受３２は、左右方向を軸方向とした円筒形状をしている。表示部側軸受３２の左側には、後述する柱状ヒンジユニット６０の外径にほぼ等しい内径の穴３２ａが設けられている。この穴３２ａは表示部側筒状部４０の内部とは連通していない。
内筒部４１の右端から表示部側軸受３２の左端までの幅は、操作部側軸受１２の右端から外筒部２１の左端までの幅にほぼ等しい。
【００４０】
表示部側軸受３２の左端と操作部側軸受１２の右端との間には、スペーサー５０が設けられる。スペーサー５０は環形状をしており、図３に示すように、中心に穴１２ａ及び穴３２ａの内径に等しい穴５０ａが左右方向に設けられている。また、スペーサー５０の左右幅は、内筒部４１の左右幅とほぼ等しい。
穴１２ａ、５０ａ、３２ａの内部には、柱状ヒンジユニット６０が挿入される。
【００４１】
柱状ヒンジユニット６０は円筒形であり、操作部側軸受１２に固定される操作部側固定部６１と、表示部側軸受３２に固定される表示部側固定部６２とからなる。操作部側固定部６１と表示部側固定部６２とは、互いに周方向に回転移動するが、所定の２位置でトルクが大きくなる。操作部筐体１０と表示部筐体３０とは、この２位置で、折り畳んで重ね合わせた状態、または、開いた状態となり、固定される。
【００４２】
ここで、上記のヒンジ構造の組立方法について説明する。まず、図３に示すように、操作部筐体１０の操作部側筒状部２０及び操作部側軸受１２の間に、表示部筐体３０の表示部側筒状部４０を配置し、次いで表示部側筒状部４０の内筒部４１を操作部側筒状部２０の外筒部２１に挿入する（矢印(1)）。すると外筒部２１に挿入された内筒部４１の左右幅と同じ幅の隙間が表示部側軸受３２と操作部側軸受１２の間に生じる。この隙間に、図３において紙面に対して垂直な方向からスペーサー５０を入れる（矢印(2)）。最後に、操作部側軸受１２、スペーサー５０、表示部側軸受３２に柱状ヒンジユニット６０を挿入し、固定する（矢印(3)）。以上により、ヒンジ構造が形成される。
【００４３】
このようなヒンジ構造によれば、操作部筐体１０と表示部筐体３０とを、操作部筐体１０の外筒部２１と表示部筐体３０の内筒部４１とは止水材４３を介して回転自在に組みつけられているので、隙間から水や塵が操作部筐体１０や表示部筐体３０に侵入することを防止しながら、操作部筐体１０と表示部筐体３０とを回転させて開閉することができる。
【００４４】
なお、上記実施例において、操作部筐体１０及び表示部筐体３０に、操作部筐体１０と表示部筐体３０とを折り畳んで重ね合わせた状態、または、開いた状態で固定する位置決め用の磁石を設け、柱状ヒンジユニット６０の代わりに軸棒を用いる簡潔な構造としてもよい。
【００４５】
次に、本発明の第２の実施の形態例について説明する。本実施の形態のヒンジ構造は、図４に示すように、操作部筐体１０と、表示部筐体３０と、環状ヒンジユニット７０とからなる。
【００４６】
本実施の形態は、外筒部２１に内筒部４１が挿入され、内筒部４１が外筒部２１に対して、止水材４３を介して周方向に摺動自在である点は第１の実施の形態と同様であるが、図４に示すように、外筒部２１よりも右側に、外筒部２１と離間して仕切板２４が設けられている点、操作部側軸受１２及び表示部側軸受３２がない点、環状ヒンジユニット７０が操作部側筒状部２０に収納されている点、環状ヒンジユニット７０の中心に左右方向に貫通する貫通孔が設けられている点が第１の実施の形態と異なる。
【００４７】
この外筒部２１と仕切板２４との間に、環状ヒンジユニット７０が固定される。環状ヒンジユニット７０は、図４に示すように、円筒形状をしており、中心に左右方向に貫通孔が設けられている。貫通孔の内径は内筒部４１の内径にほぼ等しく、内部にＦＰＣ８０が通っている。環状ヒンジユニット７０は、仕切板２４に固定される第１固定環７１と、内筒部４１に固定される第２固定環７２とからなる。
また、仕切板２４には、環状ヒンジユニット７０の貫通孔と対応する位置に、孔２５が空いている。
【００４８】
図５は図４のａ−ａ断面図である。図５に示すように、仕切板２４の左側には嵌合片２４ａが、第１固定環７１の右側には嵌合溝７４が設けられており、両者が嵌合している。また、内筒部４１の開口部４２が設けられた右側の端部には嵌合片４２ａが、第２固定環７２の左側には嵌合溝７４が設けられており、両者が嵌合している。
【００４９】
上記のヒンジ構造を組み立てるには、まず、外筒部２１に内筒部４１を挿入する。次いで、操作部筐体１０の内部から、外筒部２１と仕切板２４との間に、環状ヒンジユニット７０を押し上げ（図４の白抜矢印）、嵌合片２４ａと嵌合溝７４とを嵌合させる。最後に、ＦＰＣ８０を折り畳んだ状態で仕切板２４の孔２５及び環状ヒンジユニット７０に通し、両端部を表示部筐体３０及び操作部筐体１０の各プリント配線基板１３、３３に設けられたコネクターに接続する。
【００５０】
このように、本実施の形態では、環状ヒンジユニット７０を仕切板２４及び内筒部４１に嵌合させることで、内筒部４１が外筒部２１から抜け落ちることを防止することができる。また、スペーサー５０が不要となり、部品点数を減らすことができる。
【００５１】
なお、本実施の形態では環状ヒンジユニット７０にＦＰＣ８０を通すため、ヒンジ構造を小さくするためには、第１の実施の形態よりも細い場所にＦＰＣ８０を通す必要がある。このため、ＦＰＣ８０を折り畳んで環状ヒンジユニット７０内を通し、操作部側筒状部２０または表示部側筒状部４０にてＦＰＣ８０を巻き、回転運動に伴う形状変化を低減する。
【００５２】
また、ＦＰＣ８０により表示部筐体３０及び操作部筐体１０の各プリント配線基板１３、３３のコネクター１４、３４を接続する代わりに、図６に示すように、操作部のプリント配線基板１３を仕切板２４の孔２５の右側まで配置するとともに、表示部のプリント配線基板３３を内筒部４１の左側まで配置し、仕切板２４の孔２５の右側のプリント配線基板１３、及び内筒部４１の左側のプリント配線基板３３に、対向する光送受信素子８１、８２を設け、両者が仕切板２４の孔２５や環状ヒンジユニット７０、外筒部２１及び内筒部４１の内部に光を通すことで、表示部筐体３０及び操作部筐体１０の間で情報を送受信することができる。このため、環状ヒンジユニット７０の貫通孔を光が透過するのに充分な大きさまで小さくすることができ、ヒンジ構造を小さくすることができる。
【００５３】
図７は本発明の第３の実施の形態を示す要部断面図である。本実施の形態においては、表示部側筒状部４０が、表示部筐体３０から独立している。
【００５４】
表示部側筒状部４０には、図７に示すように、内筒部４１とは垂直に、第２内筒部４４が設けられている。第２内筒部４４の上端には、内部に連通する開口部４５が設けられている。
【００５５】
第２内筒部４４の外周部には、内筒部４１と同様に、止水材４６が設けられている。また、表示部筐体３０には、操作部筐体１０の外筒部２１と垂直に、第２外筒部３３が設けられているとともに、第２外筒部３３よりも上側に、第２外筒部３３から離間して第２仕切板３５が設けられている。第２外筒部３３の下端には、表示部筐体３０の内部に連通する開口部３４が設けられている。この開口部３４から、第２内筒部４４が第２外筒部３３へ内挿されている。
【００５６】
第２内筒部４４の開口部４５が設けられた端部、及び第２仕切板３５の下面には、内筒部４１及び仕切板２４と同様に、図示しない嵌合片が対向して設けられている。第２内筒部４４及び第２仕切板３５には、上下両端に図示しない嵌合溝を有するとともに、上下に貫通する貫通孔を有する環状ヒンジユニット７０が挿入され、表示部側筒状部４０と表示部筐体３０とを連結する。この環状ヒンジユニット７０は、第２の実施の形態で用いられているものと同様のものであり、第２仕切り板に固定される第３固定環７５と、第２内筒部４４の開口部４５に固定される第４固定環７６とからなる。これにより、第２の実施の形態と同様に、第２外筒部３３から第２内筒部４４が抜け落ちることを防止することができる。
【００５７】
第２仕切板３５には、環状ヒンジユニット７０の貫通孔と対応する位置に、孔３６が空いている。また、仕切板２４の孔２５よりも左側のプリント配線基板１３、及び、第２仕切板３５の孔３６よりも上側のプリント配線基板３３には、それぞれ光送受信素子８１、８３が設けられている。
【００５８】
第２内筒部４４の内部は、鏡室４７を介して内筒部４１の内部と連通している。鏡室４７の内部には、鏡４８が配置されている。鏡４８は、操作部筐体１０及び表示部筐体３０の各プリント配線基板１３、３３に設けられた光送受信素子８１、８３の一方から発信された光を反射し、他方へ伝達する。
【００５９】
表示部側筒状部４０の操作部筐体１０への取り付けは、第１の実施の形態と同様にスペーサー５０と棒状ヒンジユニットを用いて取り付けてもよいし、第２の実施の形態と同様に環状ヒンジユニット７０を用いて取り付けてもよい。あるいは、図７に示すように、スペーサー５０と棒状ヒンジユニットを用いるとともに、環状ヒンジユニット７０を用いて取り付けてもよい。
【００６０】
このように、本実施の形態では、表示部筐体３０を表示部側筒状部４０に対し、表示部側筒状部４０の操作部側筒状部２０に対する回転方向と垂直な方向に回転自在に組み付けることで、操作部筐体１０に対して表示部筐体３０を２軸で回転させることができる。
【００６１】
なお、貫通孔を有する環状ヒンジユニット７０の代わりに、中心部に光を透過する光透過部を有するヒンジユニットを用いてもよい。また、内筒部４１及び第２内筒部４４の内部も、光を透過する素材であれば必ずしも空隙である必要はない。
【００６２】
以上の実施の形態においては、操作部筐体１０と、表示部筐体３０とからなる無線通信装置について説明したが、本発明はこれに限らず、その他の互いに情報を伝達しあう２以上の部材を互いに回転させて開閉する装置に適用することができ、例えば、デジタルスチルカメラ、デジタルビデオカメラ、ＰＤＡ、ノートパソコン等に適用することができることはもちろんである。
【図面の簡単な説明】
【００６３】
【図１】本発明が適用された無線通信装置を示す全体図である。
【図２】本発明のヒンジ構造の第１の実施の形態を示す要部断面図である。
【図３】図２のヒンジ構造の組立方法について説明する概略図である。
【図４】本発明のヒンジ構造の第２の実施の形態を示す要部断面図である。
【図５】図４のａ−ａ断面図である。
【図６】本発明のヒンジ構造の第２の実施の形態を示す要部断面図である。
【図７】本発明のヒンジ構造の第３の実施の形態を示す要部断面図である。
【符号の説明】
【００６４】
１０   操作部筐体
１２   操作部側軸受
２０   操作部側筒状部
２１   外筒部
３０   表示部筐体
３２   表示部側軸受
３３   第２外筒部
４０   表示部側筒状部
４１   内筒部
４３   止水材
４４   第２内筒部
４８   鏡
５０   スペーサー
６０   柱状ヒンジユニット
６１   操作部側固定部
６２   表示部側固定部
７０   環状ヒンジユニット
７１   第１固定環
７２   第２固定環
７５   第３固定環
７６   第４固定環
８１   第１光送受信素子
８２   第２光送受信素子
８３   第３光送受信素子
【図１】
2006019344.tif 000003
【図２】
2006019344.tif 000004
【図３】
2006019344.tif 000005
【図４】
2006019344.tif 000006
【図５】
2006019344.tif 000007
【図６】
2006019344.tif 000008
【図７】
2006019344.tif 000009